(57)【要約】【課題】効率の良いＥＭＩ抑制効果を有し、且つ、コスト面でも有利なＥＭＩ抑制ケーブルを得る。【解決手段】本発明は、複数の芯線１１，１１…を相互に束ねて芯線束１１Ａを形成し、該芯線束１１Ａをコアとして押出成形の手段によってフェライトコンパウンド混入樹脂層１３を形成し、該フェライトコンパウンド混入樹脂層１３の上面に外被層１４を形成して成るＥＭＩ抑制ケーブル及び上記芯線束１１Ａとフェライトコンパウンド混入樹脂層１３との間にシールド層１２を介装して成るＥＭＩ抑制ケーブルを提供する。【選択図】  図１
2004206954.tif 000002
【特許請求の範囲】
【請求項１】
複数の芯線を相互に束ねて芯線束を形成し、該芯線束をコアとして押出成形の手段によってフェライトコンパウンド混入樹脂層を形成し、該フェライトコンパウンド混入樹脂層の上面に外被層を形成したことを特徴とするＥＭＩ抑制ケーブル。
【請求項２】
上記芯線束とフェライトコンパウンド混入樹脂層との間にシールド層が介装されていることを特徴とする請求項１記載のＥＭＩ抑制ケーブル。
【発明の詳細な説明】
【０００１】
【発明の属する技術分野】
本発明は、ＥＭＩ抑制ケーブルに関するものであり、特に、フェライトコンパウンド混入樹脂層によってＥＭＩノイズが効率良く抑制でき、且つ、低廉に製造できるＥＭＩ抑制ケーブルに関するものである。
【０００２】
【従来の技術】
従来、電磁波の干渉（ＥＭＩ）を抑制するために、図３に示す如く、ケーブル１の途中にフェライトコア２を外付けしたものが知られている。而して、該フェライトコア２はコネクタ３の近傍に取り付けられており、而も、前記ＥＭＩ抑制効果を高めるために該フェライトコア２は通常数個取り付け、該ケーブル１の一部分を外側から被蔽することにより、外部からＥＭＩノイズが侵入するのを抑制すると共に、信号線からＥＭＩノイズが外部へ輻射するのを抑制している。更に又、従来は該ＥＭＩノイズ対策として内部電子パーツ、例えばフェライトビーズチップ或いはコイル等を付設したり、電子回路部位にシールド等が設けられて該ＥＭＩ対策が強化されている。
【０００３】
然し乍ら、前記フェライトコア２の外付け作業は煩雑であるばかりでなく、且つ、取り付けスペース及び重量の増加等から制約され、更に、前記内部電子パーツの付加、或いは電子回路部位のシールドの付設等と同様にコストアップの要因となっていた。
【０００４】
そこで、従来、上記不具合を解消すべく図４に示すように、芯線４の周囲に第１の絶縁層５、シールド層６及び第２絶縁層７を相互積層して成るシールド電線８であって、該第２の絶縁層７の外周面の少なくとも一部の領域にアモルファス磁性体テープ９を巻回している。（例えば特許文献１参照）
【０００５】
【特許文献１】
特開平６−２０３６５２号公報（第１〜第４頁、図１〜２）
【０００６】
【発明が解決しようとする課題】
上記特許文献１記載のケーブルは、フェライトコアを取り付けたケーブルに比し、取り付けスペース及び重量等の制約に対しては有利であるが、アモルファス磁性体を構成するアモルファス磁性体テープは、ベーステープがポリエステルやＰＰＳであり、且つ、第２の絶縁層の一部の領域においてのみ巻装されているため、ＥＭＩノイズの抑制効果は極めて低い。
【０００７】
そこで、ＥＭＩノイズの抑制効率を適正に維持し、且つ、コスト面でも有利なＥＭＩ抑制ケーブルを製造するために解決されるべき技術的課題が生じてくるのであり、本発明は該課題を解決することを目的とする。
【０００８】
【課題を解決するための手段】
本発明は上記目的を達成するために提案されたものであり、複数の芯線を相互に束ねて芯線束を形成し、該芯線束をコアとして押出成形の手段によってフェライトコンパウンド混入樹脂層を形成し、該フェライトコンパウンド混入樹脂層の上面に外被層を形成したＥＭＩ抑制ケーブル、及び上記芯線束とフェライトコンパウンド混入樹脂層との間にシールド層が介装されているＥＭＩ抑制ケーブルを提供するものである。
【０００９】
【発明の実施の形態】
以下、本発明の一実施の形態を図１及び図２に従って詳述する。図１及び図２はＥＭＩ抑制ケーブル１０を示す。該ＥＭＩ抑制ケーブル１０は芯線１１と、該芯線１１上に被覆されているシールド層１２と、該シールド層１２上に被覆されているフェライトコンパウンド混入樹脂層１３と該フェライトコンパウンド混入樹脂層１３上に被覆されているシースと称せられる外被層１４とから成る。
【００１０】
而して、前記芯線１１は複数本が束状に撚られて芯線束１１Ａを構成する。更に、該芯線１１は家庭用ゲームコントローラの信号線に相当するものであり、銅或いは金等の導電性に優れた金属線にて構成され、更に之等各芯線１１，１１…は夫々可撓性の絶縁材１５，１５…にて被蔽され、そして、隣接する相互の芯線１１，１１…との短絡が防止されている。但し、之に限定せられるべきではない。
【００１１】
又、前記芯線束１１Ａを被蔽している前記シールド層１２は、従来一般的に用いられている金属編組線から構成されるのであるが、特に、之に限定せられるべきではなく、可撓性の導電性材料であれば例えば金属箔や金属テープ層等任意の材質のものから選択できる。斯くして、該導電性材料から成るシールド層１２はＥＭＩ抑制ケーブル１０のシールド効果を発揮することができる。
【００１２】
又、該シールド層１２の上面に被覆せられる前記フェライトコンパウンド混入樹脂層１３は、前記シールド層１２にて被蔽されている前記芯線束１１Ａをコアとして押出成形の手段によって成形される。即ち、合成樹脂の溶液中にフェライトコンパウンドを万遍なく均一に混入し、そして、該合成樹脂溶液を所定の型を介して押出成形の手段によって前記シールド層１２の上面を被蔽する如く射出され、そして、弾性硬化して該フェライトコンパウンド混入樹脂層１３が形成されるのである。
【００１３】
斯くして、該フェライトコンパウンド混入樹脂層１３は前記芯線束１１Ａの全長に及んで該芯線束１１Ａの軸芯周りに被覆されることができる。斯くの如く、該フェライトコンパウンド混入樹脂層１３を設けたことにより、他の磁性体層に比し、透磁率が大であって周波数特性が良好であり、従って、極めて高いＥＭＩノイズの抑制効果を発揮することができる。
【００１４】
又、該フェライトコンパウンド混入樹脂溶液を前述したように押出成形するとき、前記芯線束１１Ａの周りを前記シールド層１２によって被覆しているので該押出成形も円滑に実行されることができる。
【００１５】
又、芯線束１１Ａ及び該芯線束１１Ａを被蔽している前記シールド層１２並びに該シールド層１２上に被膜が形成されて該シールド層１２を被覆している前記フェライトコンパウンド混入樹脂層１３は最上層にシース層と称せられる外被層１４が設けられて全体が該外被層１４によって保護されている。
【００１６】
斯くして、本発明のＥＭＩ抑制ケーブル１０は、前記フェライトコンパウンド混入樹脂層１３が押出成形の手段で成形されるので、フェライトコンパウンドはＥＭＩ抑制ケーブル１０の全長に及んで均一に万遍なく配設されることができる。依って、従来のフェライトコアを局部的に外付けしたＥＭＩ抑制ケーブルに比し、ケーブルの全長に対して極めて効率良くＥＭＩ抑制効果を発揮することができ、而も、前記高価なフェライトコアに対し、前記フェライトコンパウンドの混入量は極めて小量となってコスト面でも有利であり、且つ、取り付けスペース及び重量等の制約に対しても有利となり、美観も損ねることもない。
【００１７】
尚、詳述すれば、前記フェライトコンパウンドの混入量及び層の厚さも適正に選定することにより、従来よりも更に安価でより効率の良いＥＭＩノイズを抑制することが可能となるのである。
【００１８】
而して、上記ＥＭＩ抑制ケーブル１０は前述したように家庭用コンピュータゲーム機本体とゲームコントローラとを接続するケーブルに用いられる外、他の電子機器又は電化製品等にも使用できることは当然である。
【００１９】
尚、本発明は、本発明の精神を逸脱しない限り種々の改変を為すことができ、そして、本発明が該改変されたものに及ぶことは当然である。
【００２０】
【発明の効果】
請求項１記載の発明は、芯線束をコアとして押出成形の手段によってフェライトコンパウンド混入樹脂層を形成し、更に、該フェライトコンパウンド混入樹脂層の上面にシースと称せられる外被層を形成して成り、そして、請求項２記載の発明が上記芯線束とフェライトコンパウンド混入樹脂層との間にシールド層が介装されて成るので、前記フェライトコンパウンドを混入した樹脂溶液を前記芯線束をコアとして押出成形するとき、該フェライトコンパウンド混入樹脂はケーブルの全長に及んで極めて容易且つ、円滑に形成されることができると共に、該ケーブルの全長に対してＥＭＩ抑制効果を効率良く発揮することができる。
【００２１】
尚、該フェライトコンパウンドは前記樹脂内に万遍なく均一に配合することができ、且つ、該フェライトコンパウンドの含有量や厚み等は適正に数値調整を為すことにより、従来よりも安価に効果的なＥＭＩ抑制ケーブルを提供することが可能となり、前記シールド層と相俟ってノイズの遮断効果がより大となる。斯くの如く、本発明の前記フェライトコンパウンド混入樹脂層は従来の磁性体層に比し、透磁率が大であって周波数特性が良好であり、従って、極めて高いＥＭＩ抑制効果を発揮すると共に、本発明のＥＭＩ抑制ケーブルは従来の外付けタイプに比し、取り付けスペース及び重量等の制約に対しても有利であり、更に、全体が可撓性であるため、電子機器等に対する接続操作も容易である等、正に著大なる効果を奏する発明である。
【図面の簡単な説明】
【図１】本発明の一実施の形態を示し、ＥＭＩ抑制ケーブルの一部切欠斜視図。
【図２】図１に示す芯線の断面図。
【図３】従来例を示し、フェライトコアを外付けしたケーブルの正面図。
【図４】他の従来例を示し、シールド電線の一部切欠斜視図。
【符号の説明】
１０          ＥＭＩ抑制ケーブル
１１          芯線
１１Ａ        芯線束
１２          シールド層
１３          フェライトコンパウンド混入樹脂層
１４          外被層
【図１】
2004206954.tif 000003
【図２】
2004206954.tif 000004
【図３】
2004206954.tif 000005
【図４】
2004206954.tif 000006